(57)【要約】【課題】木材を用いても強度と意匠性を確保することが可能な棚を提供する。【解決手段】幅方向に複数の単位ブロック（１４２ａ）が接合された集成材を用いた複数の棚板（１４２）と、棚板（１４２）に固定される付属部（１４３）を備え、付属部（１４３）は単位ブロック（１４２ａ）の接合面に沿って位置決めされている棚。【選択図】図５
2020137803.tif 000002
【特許請求の範囲】
【請求項１】
幅方向に複数の単位ブロックが接合された集成材を用いた複数の棚板と、
前記棚板に固定される付属部を備え、
前記付属部は、前記単位ブロックの接合面に沿って位置決めされていることを特徴とする棚。
【請求項２】
請求項１に記載の棚であって、
前記付属部は、複数の前記棚板の間に立設された角柱形状の棚柱であることを特徴とする棚。
【請求項３】
請求項１に記載の棚であって、
前記付属部は、前記棚板の幅方向に沿って立設された平板状の方立であることを特徴とする棚。
【請求項４】
請求項１に記載の棚であって、
前記付属部は、前記棚板の長手方向に沿って立設された平板状の背面板であることを特徴とする棚。
【請求項５】
請求項１に記載の棚であって、
前記付属部は、前記棚板の下面に埋設された照明部であることを特徴とする棚。
【請求項６】
請求項１から５の何れか一つに記載の棚であって、
前記棚板の四隅には、前記単位ブロックの複数倍の幅で切欠部が形成されていることを特徴とする棚。
【発明の詳細な説明】
【技術分野】
【０００１】
本発明は、棚に関する。
【背景技術】
【０００２】
従来から、居室内に棚を配置した住宅の間取りが提案されている（例えば、特許文献１，２を参照）。特許文献１に記載された住宅では、階段に隣接した側壁に代えて階段横収納である棚を配置している。特許文献２に記載された住宅では、螺旋階段を配置した吹き抜け空間の壁部に収納棚を設けている。これらの従来技術では、居室内に設けられた階段等の居室内構造物の近傍に棚を配置することで、空間や壁面を収納スペースとして有効に活用している。
【先行技術文献】
【特許文献】
【０００３】
【特許文献１】特開２０１４−２２４４１７号公報
【特許文献２】特開２００６−２８３４６４号公報
【発明の概要】
【発明が解決しようとする課題】
【０００４】
しかし、特許文献１，２に示された従来技術では、居室内でのデッドスペースの有効活用を目的としているため、大きなサイズの棚を居室内に配置することは想定されていない。居室内に配置した棚の違和感を低減するためには、棚を木材で構成することが好ましい。しかし、木材で構成された棚のサイズを大きくすると、強度を確保するための構造が必要であり、意匠性が低下してしまうという問題があった。
【０００５】
そこで本発明は、上記従来の問題点に鑑みなされたものであり、木材を用いても強度と意匠性を確保することが可能な棚を提供することを目的とする。
【課題を解決するための手段】
【０００６】
上記課題を解決するために、本発明の棚は、幅方向に複数の単位ブロックが接合された集成材を用いた複数の棚板と、前記棚板に固定される付属部を備え、前記付属部は、前記単位ブロックの接合面に沿って位置決めされていることを特徴とする。
【０００７】
このような本発明の棚では、棚板に集成材を用い、付属部を単位ブロックの接合面に沿って位置決めしているため、木材を用いても強度と意匠性を確保することが可能となる。
【０００８】
また本発明の一態様では、前記付属部は、複数の前記棚板の間に立設された角柱形状の棚柱である。
【０００９】
また本発明の一態様では、前記付属部は、前記棚板の幅方向に沿って立設された平板状の方立である。
【００１０】
また本発明の一態様では、前記付属部は、前記棚板の長手方向に沿って立設された平板状の背面板である。
【００１１】
また本発明の一態様では、前記付属部は、前記棚板の下面に埋設された照明部である。
【００１２】
また本発明の一態様では、前記棚板の四隅には、前記単位ブロックの複数倍の幅で切欠部が形成されている。
【発明の効果】
【００１３】
本発明では、木材を用いても強度と意匠性を確保することが可能な棚を提供することができる。
【図面の簡単な説明】
【００１４】
【図１】第１実施形態における住宅の一階部分を模式的に示す平面図である。
【図２】第１実施形態における住宅の二階部分を模式的に示す平面図である。
【図３】居室１１内から階段１３および棚１４の見え方を模式的に示す図である。
【図４】棚板１４２の構造を模式的に示す部分拡大斜視図である。
【図５】棚板１４２に固定された棚柱１４３を模式的に示す部分拡大斜視図である。
【図６】棚板１４２に固定された方立１４４を模式的に示す部分拡大斜視図である。
【図７】棚板１４２に固定された背面板１４５を模式的に示す部分拡大斜視図である。
【図８】照明部１４６を固定する棚板１４２の構造を模式的に示す部分拡大斜視図である。
【発明を実施するための形態】
【００１５】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。図２は、本実施形態における住宅の二階部分を模式的に示す平面図である。図１，２に示すように、本実施形態の住宅は一階に居室１１と、ステップフロア１２と、階段１３と、棚１４と、柱１５を備え、二階には二階居室２１と、階段１３と、棚１４と、柱１５を備えている。
【００１６】
居室１１は、住宅の一階部分において住宅を構成する壁面で区切られた空間であり、ソファやテーブル等の家具が配置された居住空間である。図１では、居室１１がリビングルームの例を示しているが、ダイニングルームやキッチン、書斎等の人が居住する空間であれば用途は限定されない。二階居室２１は、住宅の二階部分において住宅を構成する壁面で区切られた空間である。
【００１７】
ステップフロア１２は、居室１１の一部に設けられた領域であり、居室１１の床レベルよりも高い床を有している。ステップフロア１２と居室１１の間には、カウンターテーブル等の家具を配置して空間を区切るとしてもよく、家具等を配置せず居室１１の一部分をステップフロアとして構成してもよい。また、図１では居室１１にステップフロア１２を設けた例を示したが、ステップフロア１２を設けず居室内の床レベルを同一にするとしてもよい。
【００１８】
階段１３は、ステップフロア１２内で棚１４に隣接して配置された階段であり、住宅の１階部分と２階部分との間で移動を可能にしている。図１では階段１３として直階段を設けた例を示しているが、形状や構造は限定されず、かね折れ階段や折り返し階段、螺旋階段等を用いてもよい。階段１３の具体例は後述する。
【００１９】
棚１４は、階段１３および柱１５に隣接して配置された棚であり、柱１５が設けられた通路部とステップフロア１２とを区切っている。棚１４の具体的な構造は限定されないが、棚の一部に視線を遮る隠蔽部分と、反対側を視認可能な透視部分が設けられていることが好ましい。棚１４の具体例は後述する。
【００２０】
柱１５は、階段１３に隣接して配置された柱であり、一階および二階の床から天井まで到達するように設けられている。柱１５は、住宅の構造部分であり、居室１１内に露出している。本実施形態では柱１５として壁面から分離した位置に立てられた化粧柱を示しているが、壁面と一体化した柱であってもよい。柱１５の構造や仕上げは限定されない。
【００２１】
図３は、居室１１内から階段１３および棚１４の見え方を模式的に示す図である。図３に示すようにステップフロア１２内には階段１３が設けられており、階段１３に隣接して棚１４が配置されている。ステップフロア１２の領域は吹き抜け空間となっており、棚１４は一階の床から二階の天井に至るまで設けられている。階段１３は、側桁１３１と、手摺１３２と、踏板１３３を備えている。また、棚１４は、側板１４１と、棚板１４２と、棚柱１４３と、方立１４４と、背面板１４５と、照明部１４６を備えている。
【００２２】
側桁１３１は、階段１３の各部を支える部材であり、一階の床面と二階の床面との間を結ぶように傾斜して設けられている。手摺１３２は、側桁１３１に沿って立てられた親柱と、親柱の頂部を接続した手摺棒を備えている。踏板１３３は、対向して設けられた側桁１３１の間に固定された複数の板状部材である。
【００２３】
側板１４１は、棚１４の両側に設けられて棚板１４２を保持する部材である。棚板１４２は、側板１４１の間に架橋された複数の平板状部材である。
【００２４】
棚柱１４３は、棚板１４２の間に配置された柱である。方立１４４は、棚板１４２の間に配置されて棚板１４２の横方向を区切る板である。背面板１４５は、棚板１４２の延伸方向に沿って上下の棚板１４２間に配置された板状の部材である。
【００２５】
照明部１４６は、棚板１４２の下面に埋め込まれた照明装置であり、例えば発光ダイオード（ＬＥＤ：Ｌｉｇｈｔ  Ｅｍｉｔｔｉｎｇ  Ｄｉｏｄｅ）を光源としてライン状に配置した照明装置を用いることができる。
【００２６】
本実施形態の階段１３は、棚１４に隣接して居室１１内に配置された構造物であり、階段１３を構成する側桁１３１、手摺１３２および踏板１３３のうち、居室１１から視認可能な一部と同じ構造が、棚１４の一部にも用いられている。
【００２７】
具体的な一例としては、踏板１３３の端面である段鼻部分と棚板１４２の側面とで、板の厚み、仕上材による表面仕上げ、および装飾形状が同一にされている。また、棚柱１４３は、柱１５と太さおよび仕上材による表面仕上げが同一とされている。これにより、居室１１内で隣接して配置されている階段１３と棚１４と柱１５の一体感および統一感を高めることができる。
【００２８】
図４は、棚板１４２の構造を模式的に示す部分拡大斜視図である。図４に示すように棚板１４２は、複数の単位ブロック１４２ａが幅方向に接合された集成材で構成されている。棚板１４２を集成材で構成することにより、サイズの大きな棚１４を木材で構成した場合でも、十分な厚さや幅、長さを確保して強度を保つことができる。また、棚板１４２の側面は上部１４２ｂと下部１４２ｃが形成されており、側面の中央に沿って側面溝１４２ｄが形成されている。また、棚板１４２の四隅には、切欠部１４２ｅが形成されている。
【００２９】
単位ブロック１４２ａは、無垢材が規格化されたサイズに切断された部分であり、複数が接合されることで一枚の棚板１４２を構成している。単位ブロック１４２ａのサイズは限定されないが、例えば単位幅３４ｍｍで厚さ３６ｍｍが挙げられる。単位ブロック１４２ａの長さは限定されないが、例えば１８００ｍｍ以上の長尺状のものを用いることができる。一枚の棚板１４２に含まれる単位ブロック１４２ａの数も限定されないが、例えば幅方向に１３本の単位ブロック１４２ａを接合して全幅４４２ｍｍの棚板１４２を構成することができる。
【００３０】
上部１４２ｂと下部１４２ｃは、棚板１４２の厚み方向において側面溝１４２ｄで分離されて削り出された領域である。したがって、上部１４２ｂと下部１４２ｃは棚板１４２の内部では一体に構成されている。
【００３１】
側面溝１４２ｄは、棚板１４２の側面に沿って厚さ方向の中央に全周にわたって形成された溝である。側面溝１４２ｄのサイズは限定されないが、例えば幅５ｍｍで深さ５ｍｍ等が挙げられる。棚板１４２の側面に側面溝１４２ｄを形成することで、棚板１４２の強度を大きくするための厚さを確保しても、棚板１４２が上部１４２ｂと下部１４２ｃに分離されて薄い板である印象を与えることができる。これにより、棚板１４２のサイズを大きくしても強度と意匠性を確保することができる。
【００３２】
切欠部１４２ｅは、棚板１４２の四隅部分を切除した領域である。図４に示した例では、切欠部１４２ｅは単位ブロック１４２ａの幅の二倍の幅で設けられている。ここでは切欠部１４２ｅとして、単位ブロック１４２ａの二倍の幅のものを示したが、単位ブロック１４２ａの複数倍の幅であればよい。また、切欠部１４２ｅの長さは限定されないが、棚板１４２の厚さと同一にすることが好ましく、例えば端部から３６ｍｍまで切除する。また、切欠部１４２ｅは矩形状に切除するとしてもよいが、図４に示したように角部に曲率を持たせた形状としてもよい。
【００３３】
棚板１４２に切欠部１４２ｅを形成することで、棚板１４２の長手方向端部では、棚板１４２の幅が小さくなる。したがって図３で示したように、側板１４１との接続部分に間隙があるように視認され、棚板１４２が宙に浮いているような印象を与えることができる。また、切欠部１４２ｅの幅を単位ブロック１４２ａの幅の整数倍とすることで、棚板１４２の面内における統一感を高め、意匠性を向上させることができる。
【００３４】
図５は、棚板１４２に固定された棚柱１４３を模式的に示す部分拡大斜視図である。棚柱１４３は角柱形状の柱であり、棚板１４２の上面に立設して固定されている。また、棚柱１４３の一つの側面は、単位ブロック１４２ａの接合面に沿って配置されており、棚柱１４３は本発明における付属部に相当している。図５では棚柱１４３として角柱形状の例を示したが、棚柱１４３の形状は限定されず、丸柱やその他の断面形状であってもよい。棚柱１４３が多角形状の場合には、棚柱１４３の一つの側面は、単位ブロック１４２ａの接合面に沿って配置される。また、棚柱１４３が丸柱の場合には、単位ブロック１４２ａの接合面位置と棚柱１４３の側面が接するように配置される。
【００３５】
図６は、棚板１４２に固定された方立１４４を模式的に示す部分拡大斜視図である。方立１４４は平板状の板であり、棚板１４２の上面で幅方向に沿って立設して固定されている。また、方立１４４の一方の面は、単位ブロック１４２ａの接合面に沿って配置されており、方立１４４は本発明における付属部に相当している。
【００３６】
図７は、棚板１４２に固定された背面板１４５を模式的に示す部分拡大斜視図である。背面板１４５は平板状の板であり、棚板１４２の上面で長手方向に沿って立設して固定されている。また、背面板１４５の一方の面は、単位ブロック１４２ａの接合面に沿って配置されており、背面板１４５は本発明における付属部に相当している。
【００３７】
図５〜図７に示したように、棚柱１４３、方立１４４および背面板１４５は、上端が上段の棚板１４２下面に当接しており、上段の棚板１４２が方立１４４によって支持されている。このように棚柱１４３、方立１４４または背面板１４５の上下端が二枚の棚板１４２に固定されることで、上下の棚板１４２はともに機械的に支持される。これにより、棚１４の幅が大きく棚板１４２が長尺になっても、棚柱１４３、方立１４４または背面板１４５で棚板１４２の撓みを抑制することができる。また棚柱１４３、方立１４４および背面板１４５は、単位ブロック１４２ａの接合面に沿って位置決めされているため、棚板１４２の面内における統一感を高め、意匠性を向上させることができる。
【００３８】
図８は、照明部１４６を固定する棚板１４２の構造を模式的に示す部分拡大斜視図である。図８に示すように、棚板１４２の下面には長手方向に沿って埋込溝１４６ａが形成されており、埋込溝１４６ａには部分的に隠蔽部材１４６ｂが設けられている。照明部１４６と隠蔽部材１４６ｂは、単位ブロック１４２ａの接合面に沿って配置されており、本発明における付属部に相当している。
【００３９】
埋込溝１４６ａは、一つの単位ブロック１４２ａの幅に沿って棚板１４２の厚み方向に係止された溝である。埋込溝１４６ａには図３に示したように長尺状の照明部１４６が埋設されるとともに、照明部１４６に電力を供給するための配線も埋設される。埋込溝１４６ａの深さと長さは、埋設される照明部１４６に対応しており、照明部１４６の表面は棚板１４２の下面と連続して面一となる。
【００４０】
埋込溝１４６ａは棚板１４２の長手方向端部に至るまで形成されており、配線等は埋込溝１４６ａ内に沿って側板１４１まで延長されている。ここで、側板１４１の内部を空洞としておくことで、側板１４１内部を介して棚１４の外部から配線を引き回すことができる。また、埋込溝１４６ａを棚柱１４３まで形成し、棚柱１４３の内部を空洞としておくことで、棚柱１４３を介して下段の棚板１４２に配線を引き回すこともできる。
【００４１】
隠蔽部材１４６ｂは、埋込溝１４６ａの幅に形成された長尺状の部材であり、埋込溝１４６ａを覆うように取り付けられて埋込溝１４６ａ内部を隠蔽する。隠蔽部材１４６ｂを取り付ける領域は、埋込溝１４６ａのうち照明部１４６が埋設されていない領域であり、配線等を隠蔽する。
【００４２】
上述したように、照明部１４６と隠蔽部材１４６ｂは、単位ブロック１４２ａの接合面に沿って位置決めされており、表面が棚板１４２下面と面一となるように埋設されているため、棚板１４２の面内における統一感を高め、意匠性を向上させることができる。
【００４３】
図５〜図８に示した例では、棚板１４２の側面から二つの単位ブロック１４２ａの幅だけ離されて、棚柱１４３、方立１４４、背面板１４５および照明部１４６が位置決めされた例を示したが、単位ブロック１４２ａの幅の整数倍だけ離れていればよい。
【００４４】
上述したように本実施形態の棚１４では、棚板１４２に集成材を用い、付属部である棚柱１４３、方立１４４、背面板１４５および照明部１４６を単位ブロック１４２ａの接合面に沿って位置決めしているため、木材を用いても強度と意匠性を確保することが可能となる。
【００４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４６】
１１…居室
１２…ステップフロア
１３…階段
１４…棚
１５…柱
２１…二階居室
１３１…側桁
１３２…手摺
１３３…踏板
１４１…側板
１４２…棚板
１４２ａ…単位ブロック
１４２ｂ…上部
１４２ｃ…下部
１４２ｄ…側面溝
１４２ｅ…切欠部
１４３…棚柱
１４４…方立
１４５…背面板
１４６…照明部
１４６ａ…埋込溝
１４６ｂ…隠蔽部材
【図１】
2020137803.tif 000003
【図２】
2020137803.tif 000004
【図３】
2020137803.tif 000005
【図４】
2020137803.tif 000006
【図５】
2020137803.tif 000007
【図６】
2020137803.tif 000008
【図７】
2020137803.tif 000009
【図８】
2020137803.tif 000010